(57)【要約】【課題】操作レバーの先端部を、把手と誤って握り、そのまま持ち上げても、栓本体とカバーとを外れにくくする。【解決手段】第２の側面11の他側下部に鉤状係止部44を下方に向けて突設する。この鉤状係止部は、下向き部45の下部に内向き部46を連設したＬ字形状になっている。一方、上部開口部６にカバー12を被着したときに、下向き部45が挿入して係止する凹状の係止受け部47を第１の側面３の他側上部に設ける。把手と間違って操作レバー13の先端部14を持ち上げたとしても、この先端部14側においては嵌着力ではなく係止部44と係止受け部47との係止力によって抗することができる。【選択図】図５
2010022490.tif 000002
【特許請求の範囲】
【請求項１】
飲料容器の開口部に着脱可能に装着され、飲料容器を傾けることで第１の側面の一側に注出口を形成すると共に内容液を注出する注出路及び前記注出路を開閉する弁体を備え、かつ上部を上部開口部とした栓本体に、前記第１の側面に第２の側面を嵌合させて前記上部開口部を覆うカバーに前記弁体の弁棒を押し下げて該弁体を開放させる操作レバーを設けると共に、この操作レバーの先端を他側に突設させた飲料容器の栓体において、前記第１の側面の他側及び第２の側面の他側のいずれか一方に鈎状係止部を設けると共に、他方に前記鈎状係止部が係止可能な凹部を設けることを特徴とする飲料容器の栓体。
【請求項２】
前記第１の側面の一側及び第２の側面の一側を強制嵌合することを特徴とする請求項１記載の飲料容器の栓体。
【発明の詳細な説明】
【技術分野】
【０００１】
本発明は、魔法瓶等の飲料容器の栓体に係り、詳しくは、栓体に弁機構を有し、飲料容器に栓体を装着した状態のままで操作レバーを操作することで開弁して内容液を注出することのできる飲料容器の栓体に関する。
【背景技術】
【０００２】
従来、この種のものとして図６に示すような飲料容器１の開口部２に着脱可能に装着され、飲料容器１を傾けることで第１の側面３の前側である一側に注出口４を形成すると共に内容液を注出する注出路５を備え、かつ上部を上部開口部６とした円筒状の栓本体７に、注出路５を開閉する弁体８と、該弁体８から上方に延出して栓本体７に設けられたガイド筒９に上下動可能に挿通される弁棒10を収容し、第１の側面３に第２の側面11を嵌合させて上部開口部６を覆うカバー12に弁棒10を押し下げて該弁体８を開放させるための操作レバー13を設けると共に、この操作レバー13の押下操作部である先端部14を他側に突設させた飲料容器１の栓体が知られている（例えば特許文献１）。
【０００３】
そして、このような飲料容器１の栓体においては、栓本体７の上部開口部６を覆うようにカバー12を取り付ける際、第１の側面３と第２の側面11とを嵌合させて固定して一体化する。そして閉栓時では、操作レバー13は、第１スプリング15の付勢力で上昇するフラップ16に下方から押されることによって先端部14が上昇位置に保持される。また、スプリング部材17の付勢力により、スライド部材18が係合部19と係合突部20との係合方向に押圧されるとともに、規制片（図示せず）が保持部22の突起に当接して他端側への移動が規制されている。弁棒10の係合突部20は、スライド部材18の係合部19に係合された状態で保持され、弁体８の止水パッキン24が下部筒25の下端部26に密着するとともに、減圧パッキン27が弁体８の下面に密着して注出路５が閉塞されている。尚、開口部２への栓本体７の取り付けは、ネジ32によって着脱自在に設けられている。
【０００４】
そして、操作レバー13の先端部14を押し下げると、操作レバー13は、保持部22のカバー１２の天板28などとに保持されながら、一端側を支点に回動する。操作レバー13の回動に伴って、スライド部材18が弁棒10の先端を下方に押し下げ、弁棒10と弁体８とが第１スプリング15の付勢力に抗して、一体となって下方に移動する。これに伴って、止水パッキン24が下部筒25の下端部26を離れ、注出路５が開放され、飲料容器１を注出口４方向へ傾けると、内容液が注出路５，注出口４を介して注出される。また、操作レバー13は、先端部14が飲料容器１の他側上部設けられる逆Ｌ字形状の把手31の上部と当接することによって回動が規制されるようになっている。
【特許文献１】特許第３９１３２２７号公報
【発明の開示】
【発明が解決しようとする課題】
【０００５】
前記従来技術においては、飲料容器１を持ち運ぶ際に、把手31の後ろ側を握って持ち運びするものであるが、例えば暗闇などの環境のときでは、把手31を視認できず、後方へ突設している操作レバー13の先端部14を、把手31と誤って握り、そのまま持ち上げてしまうおそれがある。このような場合には飲料容器１の重量により第１の側面３と第２の側面11との嵌合が外れ、この結果カバー12を残して飲料容器１が栓本体７等と共に一緒に落下するおそれがある。
【０００６】
解決しようとする問題点は、操作レバーの先端を他側に突設させた飲料容器の栓体において、操作レバーの先端部を、把手と誤って握り、そのまま持ち上げても、栓本体とカバーとを外れにくくした飲料容器の栓体を提供する点である。
【課題を解決するための手段】
【０００７】
請求項１の発明は、飲料容器の開口部に着脱可能に装着され、飲料容器を傾けることで第１の側面の一側に注出口を形成すると共に内容液を注出する注出路及び前記注出路を開閉する弁体を備え、かつ上部を上部開口部とした栓本体に、前記第１の側面に第２の側面を嵌合させて前記上部開口部を覆うカバーに前記弁体の弁棒を押し下げて該弁体を開放させる操作レバーを設けると共に、この操作レバーの先端を他側に突設させた飲料容器の栓体において、前記第１の側面の他側及び第２の側面の他側のいずれか一方に鈎状係止部を設けると共に、他方に前記鈎状係止部が係止可能な凹部を設けることを特徴とする飲料容器の栓体である。
【０００８】
請求項２の発明は、前記第１の側面の一側及び第２の側面の一側を強制嵌合することを特徴とする請求項１記載の飲料容器の栓体である。
【発明の効果】
【０００９】
請求項１の発明によれば、把手と間違って操作レバーの先端部を持ち上げたとしても、この先端部側においては嵌着力ではなく係止部と凹状の係止受け部との係止力によって抗することができる。
【００１０】
請求項２の発明によれば、栓体の一側では栓体本体とカバーを強制嵌合によって固定することができる。
【発明を実施するための最良の形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
図１〜５は実施例１を示しており、前記従来技術と同様な部分には同一符号を付し、その詳細な説明を省略する。上部開口部６を有する栓本体７の上部開口部６側の第１の側面３の上部は平面が略円形な第１の円筒壁部41によって形成されている。同様に、下部開口部42を有するカバー12の下部開口部42側の第２の側面11の下部は平面が略円形な第２の円筒壁部43によって形成されている。
【００１３】
そして、第２の側面11の他側下部に鉤状係止部44を下方に向けて突設する。この鉤状係止部は、下向き部45の下部に内向き部46を連設したＬ字形状になっている。一方、上部開口部６にカバー12を被着したときに、下向き部45が挿入して係止する凹状の係止受け部47を第１の側面３の他側上部に設ける。実施例では係止受け部47は内外を貫通するスリットにより形成されている。
【００１４】
さらに第１の側面３の一側下部に注出口４が横長に設けられている。そして係止部44が係止受け部47に係止して、第１の円筒壁部41に対して第２の円筒壁部43が外嵌、嵌着し、カバー12を栓本体７に被着した状態で、第１の側面３の一側と第２の側面11の一側とが強制嵌合できるように、第１の平面壁部48と第２の平面壁部49が設けられる。
【００１５】
第１の平面壁部48について説明する。第１の円筒壁部41の一側は切り欠かれて凹部50が形成されており、この凹部50の第１の円筒壁部41における円弧方向の内側に薄平板状に第１の平面壁部48を設ける。この第１の平面壁部48は円弧における弦、すなわち円弧曲線の離れた２点を結ぶ直線のように円弧の内側に設けられる。この第１の平面壁部48の平面視長手方向は栓本体７の中心軸線からの放射方向に対して直交方向に配置されていると共に、この方向の両側、すなわち左右には第１の円筒壁部41との間に隙間52が形成される。尚、この第１の平面壁部48の外周上部は上方へ向かうに従い次第に肉薄となるようにテーパ部51が形成されている。
【００１６】
第２の平面壁部49について説明する。第２の平面壁部49は第２の円筒壁部43の円弧における弦、すなわち円弧曲線の離れた２点を結ぶ直線のようにして第１の平面壁部45の外側に設けられる。この第２の平面壁部49の平面視長手方向も栓本体７の中心軸線からの放射方向に対して直交方向に配置されていると共に、この方向の両側は第２の円筒壁部43に接続している。
【００１７】
そして、栓本体７にカバー12が被さっていない別々の状態では第１の平面壁部48の外周と栓体の中心軸との距離は、第２の平面壁部49の内周と栓体の中心軸との距離より、僅かに長く形成されている。
【００１８】
さらに、カバー12における第２の平面壁部49の上部、実施例では第２の平面壁部49の上縁に鍔状のつまみ部53が平面円弧状となって前方（一側方向）に延出している。
【００１９】
次に前記構成についてその作用を説明する。栓体の組み立てにあっては、まず内向き部46を係止受け部47に挿入して係止部44を係止する。これにより栓本体７の他側とカバー12の他側が固定されることになる。そしてこの他側をヒンジとなるようにしてカバー12の一側を栓本体７の一側に被せると、第２の平面壁部49の内面がテーパ部51に接し、さらに被せるように回動すると、第１の平面壁部48が内側に若干引っ張られて第２の平面壁部49の内面が第１の平面壁部48の外面に圧着して強制嵌合される。
【００２０】
そして、操作レバー13の先端部14を押し下げると、操作レバー13の回動に伴って、弁棒10が下降して開弁し、飲料容器１を傾けて注出口４より内容液を注出できる。
【００２１】
一方、栓本体７からカバー12を外すときは、他側をヒンジとしてカバー12の一側に設けられ前方へ延出したつまみ部53を保持して持ち上げて強制嵌合を解除する。
【００２２】
したがって、栓体を開口部２に取り付けた使用状態にあって、上述のように把手31と間違って操作レバー13の先端部14を持ち上げたとしても、この先端部14側においては嵌着力ではなく係止部44と係止受け部47との係止力によって抗することができるので、第１の側面３と第２の側面11は両者の嵌着力よりも強力な抵抗力を発揮でき、カバー12から栓本体７が抜け出しにくくなる。しかもその係止は横向の内向き部46が係止受け部47に挿入して行われるものであるから、係止部44が係止受け部47より滑り落ちて抜け出るおそれもなく係止状態を確保することができる。
【００２３】
さらに、第１の側面３の一側と第２の側面11の一側とを強制嵌合するようにしたことにより、カバー12を外すときには、カバー12の一側に設けられ前方へ延出したつまみ部53を保持し持ち上げて強制嵌合を外し、さらに係止部44と係止受け部47との係止状態を外すことにより簡単に取り外すことができる。
【産業上の利用可能性】
【００２４】
以上のように本発明に係る飲料容器の栓体は、各種の用途に適用できる。
【図面の簡単な説明】
【００２５】
【図１】本発明の実施例１を示全体斜視図である。
【図２】同全体の分解斜視図である。
【図３】同要部の分解斜視図である。
【図４】同要部の他の向きからの分解斜視図である。
【図５】同要部の断面図である。
【図６】従来技術の閉弁状態の断面図である。
【符号の説明】
【００２６】
１  飲料容器
２  開口部
３  第１の側面
４  注出口
５  注出路
６  上部開口部
７  栓本体
８  弁体
10  弁棒
11  第２の側面
13  操作レバー
14  先端部
44  鉤状係止部
47  凹状の係止受け部
48  第１の平面壁部
49  第２の平面壁部
【図１】
2010022490.tif 000003
【図２】
2010022490.tif 000004
【図３】
2010022490.tif 000005
【図４】
2010022490.tif 000006
【図５】
2010022490.tif 000007
【図６】
2010022490.tif 000008